(57)【要約】【課題】任意の高さと任意の傾斜面又は鉛直面に配置することができる作業用ブラケット足場を提供する。【解決手段】傾斜面又は鉛直面を有する構造物の作業用ブラケット足場１である。作業用ブラケット足場１は、構造物の基礎に固定されて傾斜面又は鉛直面に沿って配置される縦支柱２と、第１端部及び第２端部を有する水平材３であり、第１端部が縦支柱２の所定の箇所に回動可能に締結される、水平材３と、水平材３の第２端部に取り付けられる手摺柱４と、水平材３上に設置される足場板５、５と、上端部及び下端部を有する斜材６であり、上端部が水平材３の第２端部に回動可能に連結されるとともに、下端部が、水平材３が略水平になるように、縦支柱２の所定の箇所に回動可能に締結される、斜材６と、を備えている。【選択図】図１
0003201471.tif 000002
【実用新案登録請求の範囲】
【請求項１】
傾斜面又は鉛直面を有する構造物の作業用ブラケット足場であって、
前記構造物の基礎に固定されて前記傾斜面又は前記鉛直面に沿って配置される縦支柱と、
第１端部及び第２端部を有する水平材であり、前記第１端部が前記縦支柱の所定の箇所に回動可能に締結される、水平材と、
前記水平材の前記第２端部に取り付けられる手摺柱と、
前記水平材上に設置される足場板と、
上端部及び下端部を有する斜材であり、前記上端部が前記水平材の前記第２端部に回動可能に連結されるとともに、前記下端部が、前記水平材が略水平になるように、前記縦支柱の所定の箇所に回動可能に締結される、斜材と、
を備えることを特徴とする、作業用ブラケット足場。
【請求項２】
前記水平材の前記第１端部及び前記斜材の下端部には、それぞれヒンジを介してクランプ部材が連結され、
各クランプ部材が前記縦支柱を締め付けることによって、前記水平材及び前記斜材が前記縦支柱に締結されることを特徴とする、請求項１に記載された作業用ブラケット足場。
【請求項３】
前記縦支柱は、ヒンジを介して継足すことができるように形成され、
該ヒンジの回動軸は、水平面内において前記傾斜面と平行になるように配置されることを特徴とする、請求項１又は請求項２に記載された作業用ブラケット足場。
【請求項４】
前記縦支柱の最下部は、前記構造物の基礎に固定されたヒンジを介して、前記構造物の基礎に回動可能に連結されることを特徴とする、請求項１乃至請求項３のいずれか一項に記載された作業用ブラケット足場。
【請求項５】
前記縦支柱と前記傾斜面との間隔を保持する間隔保持部材をさらに備えることを特徴とする、請求項１乃至請求項４のいずれか一項に記載された作業用ブラケット足場。
【考案の詳細な説明】
【技術分野】
【０００１】
本考案は、構造物の作業用ブラケット足場に関するものである。
【背景技術】
【０００２】
従来から、擁壁などの傾斜面又は鉛直面を備える枠組み足場を設置できない条件下にある構造物を構築又は補修する際には、斜面の傾斜面又は鉛直面に沿った作業用ブラケット足場又は転落防止用作業床（以下、作業用ブラケット足場と称する）が使用されている。このような作業用足場は、鋼材からなる各部材を溶接によって連結することで構築されている。このため、設置の際には、斜面の勾配に合わせた作業用ブラケット足場を製作し、設置する高さに合わせてボルトなどで壁面に固定する必要があるなどの問題があった。
【０００３】
さらに、例えば、特許文献１では、ダムの越流部や擁壁等の簡易足場には、斜面足場用ブラケットが用いられ、この斜面足場用ブラケットは、水平材、取付材、斜材、手摺柱各々の連結に六角ボルトを使用している。このため、組み立て・解体の際には、各部材がバラバラになり乱雑となるうえ、ボルトを紛失する原因ともなっていた。また、水平材に軽量溝形鋼２本を使用しているために、一般に使用されている丸パイプ用クランプが使用できない。そのため、隣接するブラケット間が手摺の丸パイプだけで繋がった状態となり、手摺をセットするまでは動きやすく固定しにくかった。そこで、特許文献１には、水平材と取付材と斜材と手摺柱とからなる斜面足場用ブラケットが開示されている。これらの部材は、ピンによって一体化されているため、部品がばらばらになることはない。さらに、組み立て、及び解体が容易にできるようになる。また、水平材に丸パイプを使用したことで、布付き足場板を装着できるようになるため、足場板を装着した状態でも左右に振れずに安定し固定しやすくなる。
【先行技術文献】
【特許文献】
【０００４】
【特許文献１】特開平１１−９３４００号公報
【考案の概要】
【考案が解決しようとする課題】
【０００５】
しかしながら、特許文献１の斜面足場用ブラケットは、取付材に固定された取付フックを型枠の横端太に取り付け、浮き上がり防止具によって固定する構造になっている。そのため、横端太が存在する型枠の高さ位置のみに配置が限定される、という問題があった。
【０００６】
そこで、本考案は、型枠に加えて、構造物本体の任意の高さと任意の傾斜面又は鉛直面に配置することができる作業用ブラケット足場を提供することを目的としている。
【課題を解決するための手段】
【０００７】
前記目的を達成するために、本考案の作業用ブラケット足場は、傾斜面又は鉛直面を有する構造物の作業用ブラケット足場であって、前記構造物の基礎又はボルトなどに固定されて前記傾斜面又は鉛直面に沿って配置される縦支柱と、第１端部及び第２端部を有する水平材であり、前記第１端部が前記縦支柱の所定の箇所に回動可能に締結される、水平材と、前記水平材の前記第２端部に取り付けられる手摺柱と、前記水平材上に設置される足場板と、上端部及び下端部を有する斜材であり、前記上端部が前記水平材の前記第２端部に回動可能に連結されるとともに、前記下端部が、前記水平材が略水平になるように、前記縦支柱の所定の箇所に回動可能に締結される、斜材と、を備えることを特徴としている。
【考案の効果】
【０００８】
このように、本考案の作業用ブラケット足場は、構造物の基礎又はボルトなどに固定されて傾斜面又は鉛直面に沿って配置される縦支柱と、第１端部が縦支柱の所定の箇所に回動可能に締結される水平材と、水平材の第２端部に取り付けられる手摺柱と、水平材上に設置される足場板と、上端部が水平材の第２端部に回動可能に連結されるとともに、下端部が、水平材が略水平になるように、縦支柱の所定の箇所に回動可能に締結される、斜材と、を備えている。このため、足場板を任意の高さに、かつ、略水平に配置することができる。
【図面の簡単な説明】
【０００９】
【図１】実施例の作業用ブラケット足場全体の側面図である。
【図２】実施例の作業用ブラケット足場の拡大側面図である。
【図３】縦支柱の説明図である。（ａ）は側面図であり、（ｂ）は平面図である。
【図４】水平材の説明図である。（ａ）は側面図であり、（ｂ）は平面図である。
【図５】斜材の説明図である。（ａ）は側面図であり、（ｂ）は平面図である。
【図６】縦支柱の下端部の断面図である。
【考案を実施するための形態】
【００１０】
以下、本考案の実施例について図面を参照して説明する。以下の実施例では、傾斜面又は鉛直面を有する構造物としてブロック積を構築する際の作業用ブラケット足場を例として説明するが、これに限定されるものではない。傾斜面を有する構造物としては、例えば、擁壁、ダムの越流部、堰、橋台、橋脚等であっても、本考案を適用できる。さらに、逆傾斜面を有する構造物、例えば、坑門、建築物等であっても、本考案を適用できる。
【実施例】
【００１１】
（構成）
まず、図１、２を用いて本実施例の作業用ブラケット足場１（又は、転落防止用作業床１、以下「作業用ブラケット足場１」）の全体構成を説明する。本実施例の作業用ブラケット足場１は、図１、２に示すように、傾斜面を有する構造物としてのブロック積９０の構築作業用に使用される作業用ブラケット足場１である。そして、作業用ブラケット足場１は、構造物の基礎としての基礎コンクリート９１に固定されて傾斜面に沿って配置される縦支柱２と、第１端部及び第２端部を有する水平材３であり、第１端部が縦支柱の所定の箇所に回動可能に締結される、水平材３と、水平材３の第２端部に取り付けられる手摺柱４と、水平材３上に設置される足場板５、５と、上端部及び下端部を有する斜材６であり、上端部が水平材３の第２端部に回動可能に連結されるとともに、下端部が、水平材３が略水平になるように、縦支柱２の所定の箇所に回動可能に締結される、斜材６と、を備えている。
【００１２】
縦支柱２は、図３に示すように、所定の長さの角形鋼管２０と、角形鋼管２０の一方の端部に溶接等によって固定された側板２１、２１と、を有している。なお、角形鋼管２０と側板２１の固定方法は、上述した方法に限定されるものではなく、強固に固定できれば、どのように固定してもよい。そして、各側板２１には取付孔２１ａが削孔されている。さらに、角形鋼管２０の側板２１、２１と反対側の他方の端部にも取付孔２０ａ、２０ａが削孔されている。そして、複数の縦支柱２、２を準備したうえで、一方の縦支柱２の側板２１、２１の取付孔２１ａ、２１ａと、他方の縦支柱２の取付孔２０ａ、２０ａの位置を合わせ、ボルト・ナットで連結することでヒンジ構造を構成できる。ヒンジ構造を介して、縦支柱２どうしが連結されることで、縦支柱２を相当の高さまで伸ばしていくことができる。なお、ヒンジ構造は、上述したボルト・ナットに限定されるものではなく、ヒンジ構造であれば、どのような構造であってもよい。
【００１３】
また、縦支柱２のヒンジ構造の回動軸は、構造物の前面に配置された状態で、水平面内において傾斜面と平行になるように配置される。さらに、縦支柱２の取付孔２０ａ、２０ａと、側板２１の取付孔２１ａ、２１ａとは、同一方向に削孔されている。このような構成によって、縦支柱２は、傾斜面に沿って途中で傾斜を変更可能でありつつも、作業用ブラケット足場１の左右への転倒を防止できる。
【００１４】
縦支柱２の最下部は、図６に示すように、構造物の基礎に固定（又は設置）されたヒンジ構造を介して、構造物の基礎に回動可能に連結される。具体的には、図６に示すように、基礎部８は、基礎コンクリート９１に埋め込まれた組立・組外が容易な型枠（例えば、紙ボイド等）孔内に挿入された鋼管８０と、鋼管８０に溶接等によって固定された側板８１、８１とによって主に構成されている。なお、鋼管８０は、基礎コンクリート９１に接着固定される必要はなく、水平方向にずれないように固定できればよい。そして、側板８１、８１に設けた取付孔（不図示）と縦支柱２の下端の取付孔２０ａ、２０ａの位置を合わせてボルト・ナットによって両者が固定される。このように、縦支柱２の最下部は、型枠用の端太ではなく、構造物側に直接に固定されている。
【００１５】
水平材３は、図４に示すように、所定の長さの角形鋼管３０と、角形鋼管３０の一方の端部（第２端部）に溶接等によって固定された側板３１、３１と、他方の端部（第１端部）に回動軸３０ａを介して連結されるヒンジ部材３２と、ヒンジ部材３２に連結されるクランプ部材３３と、を備えている。クランプ部材３３によって、縦支柱２を挟持することで、水平材３は縦支柱２に対して回転自在に固定される。側板３１には、取付孔３１ａが設けられ、後述する斜材６の取付孔６０ａと位置を合わせられて、ボルト・ナットによって連結される。
【００１６】
手摺柱４は、水平材３の先端側に直交クランプ部材で固定されることが好ましいが、水平材３と斜材６とを組み合わせた３点ヒンジブラケットに固定されればどの部材に固定されていてもよい。また、足場板５、５は、木製やアルミ製の板であり、水平材３にゴム又は番線等で固定される。
【００１７】
斜材６は、図５に示すように、所定の長さの角形鋼管６０と、角形鋼管６０の一方の端部（下端部）に回動軸６０ｂを介して連結されるヒンジ部材６１と、ヒンジ部材６１に連結されるクランプ部材６２と、を備えている。クランプ部材６２によって、縦支柱２を挟持することで、斜材６は縦支柱２に対して回転自在に固定される。角形鋼管６０の他方の端部（上端部）には、取付孔６０ａが設けられ、水平材３の側板３１の取付孔３１ａと位置を合わせられて、ボルト・ナットによって連結される。
【００１８】
そして、本実施例の作業用ブラケット足場１は、縦支柱２と傾斜面との間隔を保持するために間隔保持部材７をさらに備えている。間隔保持部材７は、例えば、縦支柱２を挟持するクランプ部材に伸縮可能な構造とされた箱形部材を溶接するなどして形成することができる。間隔保持部材７は、水平材３のクランプ部材３３又は斜材６のクランプ部材６２と一体に形成することもできる。
【００１９】
なお、実際に仮設足場として利用する場合には、あらかじめ水平材３と斜材６とを組み合わせて、３点ヒンジブラケットとして構成しておくことが好ましい。すなわち、水平材３の側板３１の取付孔３１ａと斜材６の取付孔６０ａの位置を合わせて、ボルト・ナットやピン構造によって両者を連結しておくことが好ましい。
【００２０】
（施工手順）
次に、本実施例の作業用ブラケット足場１の施工手順について説明する。
【００２１】
（１）基礎コンクリート９１に組立・組外が容易な型枠（紙ボイド等）で支柱挿入用箱抜きを1.80m以内の間隔で設置する。又は、基礎コンクリート９１に法面ブラケット足場取付け用あと施工アンカーを1.80m以内の間隔で設置する。または、基礎コンクリート９１に支柱挿入用箱抜き、又は、法面ブラケット足場取り付け用あと施工アンカーを付設した打ち足しコンクリートやブロックを1.80m以内の間隔で土中に埋没して設置する。
（２）ブロック積９０等が足場、又は作業床が必要となる高さまで施工する。
（３）型枠（紙ボイド等）を取り外した支柱挿入用箱抜きに１段目として用いる縦支柱２（法面ブラケット足場支柱）を縦ヒンジ方向に挿入し、間詰砂又はキャンパー等で固定する。又は、１段目として用いる縦支柱２を法面ブラケット足場取付け用あと施工アンカーに設置して固定する。
（４）ブロック積９０等の施工高さに応じて縦支柱２を縦ヒンジ方向に順次取付ける。
（５）縦支柱２の適切な高さ位置に３点ヒンジブラケットの水平材３のクランプ部材３３（上位置のクランプ）を取付ける。
（６）縦支柱２の適切な高さ位置に３点ヒンジブラケットの斜材６のクランプ部材６２（下位置のクランプ）を、足場面が水平になるように取付け高さを調整しながら取付ける。
（７）３点ヒンジブラケットの足場面上に足場板５、５を設置して３点ヒンジブラケットに緊結する。
（８）３点ヒンジブラケットに手摺柱４を取付け、隣接する手摺柱４間に手摺金具又はロープを設置する。
（９）ブロック積９０等の高さに応じて縦支柱２を継ぎ足していき、上記（５）−（８）と同様の手順を繰り返して足場を設置していく。
（１０）ブロック積９０等の作業終了後に、上記手順の逆順序で組外す。
（１１）支柱挿入用箱抜きは、足場の組外し後に所定の強度のコンクリートで埋戻し、天端面を整形する。又は、法面ブラケット足場取付け用あと施工アンカーを取外して後処理を施す。
【００２２】
（効果）
次に、本実施例の作業用ブラケット足場１の奏する効果を列挙して説明する。
【００２３】
（１）上述してきたように、本実施例の作業用ブラケット足場１は、傾斜面を有する構造物の作業用ブラケット足場１である。この作業用ブラケット足場１は、構造物の基礎に固定されて傾斜面に沿って配置される縦支柱２と、第１端部及び第２端部を有する水平材３であり、第１端部が縦支柱２の所定の箇所に回動可能に締結される、水平材３と、水平材３の第２端部に取り付けられる手摺柱４と、水平材３上に設置される足場板５と、上端部及び下端部を有する斜材６であり、上端部が水平材３の第２端部に回動可能に連結されるとともに、下端部が、水平材３が略水平になるように、縦支柱２の所定の箇所に回動可能に締結される、斜材６と、を備えている。このため、任意の高さに配置することができる作業用ブラケット足場１となる。
【００２４】
すなわち、縦支柱２は、構造物側（基礎コンクリート９１）に固定されて、上下方向（縦方向）に伸びるように配置される。そして、この上下方向に伸びる縦支柱２の適切な位置を選択して３点ヒンジブラケット構造を設置できる。換言すると、型枠を押さえる端太の位置等に影響されることなく、足場を自由に配置できる。加えて、本実施例の構造であれば、構造物の傾斜に関係なく、足場を正確に水平に配置できるというメリットもある。さらに、軽量で運搬、組立・組外が容易な足場構造となる。また、３点ヒンジブラケットは、構造物の傾斜に合わせてその都度製作する必要がなく、別の構造物に転用することもできる。
【００２５】
（２）具体的な構造としては、水平材３の第１端部及び斜材６の０下端部には、それぞれヒンジとしてのヒンジ部材３２、６１を介してクランプ部材３３、６２が連結され、各クランプ部材３３、６２が縦支柱２を締め付けることによって、水平材３及び斜材６が縦支柱２に締結されることを特徴としている。このため、きわめて簡易な構造によって、任意の高さに水平に足場を設置できる。さらに、クランプ部材３３、６２を、ヒンジ部材３２、６１に対して、回転軸を介して連結することにより、横方向に足場を傾斜させて設置することもできる。
【００２６】
（３）さらに、縦支柱２は、ヒンジを介して継足すことができるように形成され、ヒンジの回動軸は、水平面内において傾斜面と平行になるように配置される。すなわち、縦支柱２が一方の端部の側板２１に設けた取付孔２１ａと他方の端部に設けた取付孔２０ａとを有することで、複数の縦支柱２、・・・を継ぎ足しながら伸ばしていくことができる。さらに、回動軸を傾斜面と平行になるように配向して設置することで、足場の左右への転倒を防止できる。
【００２７】
（４）また、縦支柱２の最下部は、構造物の基礎に固定されたヒンジを介して、構造物の基礎に回動可能に連結されることで、構造物の傾斜に合わせて作業用ブラケット足場１を設置できる。
【００２８】
（５）そして、縦支柱２と傾斜面との間隔を保持する間隔保持部材７をさらに備えることで、足場と傾斜面との距離を一定に保持できるため、足場上で作業しやすくなる。間隔保持部材７は、構造物躯体に固定することもできる。なお、間隔保持部材７を構造物側に固定しない場合には、全体の重心を足場が転倒しないように配分する必要がある。すなわち、図１の一点鎖線に示すように、最下段の３点ヒンジブラケット構造が基礎部８の回動軸よりも構造物側に位置していることが必要である。
【００２９】
以上、図面を参照して、本考案の実施例を詳述してきたが、具体的な構成は、この実施例に限らず、本考案の要旨を逸脱しない程度の設計的変更は、本考案に含まれる。
【００３０】
例えば、実施例では、縦支柱２、水平材３、斜材６として角形鋼管を用いる場合について説明したが、これに限定されるものではなく、いわゆる単管パイプを用いることもできるし、溝形鋼など他の部材を用いることもできる。さらに、水平材３の内空に水平材３の内径より小さい径の鋼管を摺動自在に挿入し、必要に応じて伸長させることで足場幅を拡幅することもできる。
【００３１】
また、実施例では、傾斜面を有する構造物に本考案の作業用ブラケット足場１を適用する場合について説明したが、これに限定されるものではない。鉛直面を有する構造物に本考案を適用することもできるし、傾斜面と鉛直面の両方を有する構造物に本考案を適用することもできる。
【符号の説明】
【００３２】
１          作業用ブラケット足場
２          縦支柱
３          水平材
４          手摺柱
５          足場板
６          斜材
７          間隔保持材
８          基礎部
９０        ブロック積
９１        基礎コンクリート
【図１】
0003201471.tif 000003
【図２】
0003201471.tif 000004
【図３】
0003201471.tif 000005
【図４】
0003201471.tif 000006
【図５】
0003201471.tif 000007
【図６】
0003201471.tif 000008